【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
双曲放物面鞍形状を有し、関節の関節包内に埋め込まれるように構成されている、閉じた周囲の本体と、
弾力性の放射線不透過性の内側コアと、
少なくとも１つの穴と、
を備える、整形外科用インプラント。
【請求項２】
前記関節が手根中手関節である、請求項１に記載のインプラント。
【請求項３】
前記手根中手関節が第１の手根中手関節である、請求項２に記載のインプラント。
【請求項４】
前記少なくとも１つの穴が、縫合糸を取り付けるために構成されている、請求項１〜３のいずれか１項に記載のインプラント。
【請求項５】
前記少なくとも１つの穴は、第１の穴と、該第１の穴から１８０度の箇所に位置する第２の穴とを備える、請求項１〜４のいずれか１項に記載のインプラント。
【請求項６】
前記本体は、周辺組織への付着を伴わずに手根中手関節の関節包内に埋め込まれるように構成されている、請求項１〜５のいずれか１項に記載のインプラント。
【請求項７】
前記閉じた周囲の本体がリング形状を有する、請求項１〜６のいずれか１項に記載のインプラント。
【請求項８】
内側膜をさらに備え、該内側膜は、前記閉じた周囲の本体によって囲まれ、そして前記インプラントの外側領域と比較して減少した厚さを有する、請求項１〜７のいずれか１項に記載のインプラント。
【請求項９】
前記内側膜が双曲放物面形状を有する、請求項８に記載のインプラント。
【請求項１０】
前記閉じた周囲の本体が、ほぼ楕円形の閉じた周囲の本体である、請求項１〜９のいずれか１項に記載のインプラント。
【請求項１１】
前記閉じた周囲の本体が、ほぼ円形の閉じた周囲の本体である、請求項１〜９のいずれか１項に記載のインプラント。
【請求項１２】
前記本体が、再吸収性材料を含む、請求項１〜１１のいずれか１項に記載のインプラント。
【請求項１３】
前記本体が、ポリカーボネートウレタンを含む、請求項１〜１１のいずれか１項に記載のインプラント。
【請求項１４】
前記弾力性の放射線不透過性の内側コアが、バリウムとポリカーボネートウレタンとの混合物を含む、請求項１〜１１または１３のいずれか１項に記載のインプラント。
【手続補正２】
【補正対象書類名】明細書
【補正対象項目名】０００７
【補正方法】変更
【補正の内容】
【０００７】
本発明は、例えば、以下を提供する：
（項目１）
患者の関節の中に挿入されるように構成される整形外科用インプラントであって、該インプラントは、
略平面の構成を有する本体であって、該患者の関節の中に最初に挿入されるように構成される遠位縁を有する本体と、
該平面の構成に直交する第１の寸法と、
該インプラントの挿入方向に直交する第２の共平面寸法であって、該インプラントは、該第２の寸法におけるサイズが弾力的に減少するように構成される、第２の共平面寸法と、
該本体によって少なくとも部分的に包囲される内側領域であって、該内側領域は、該内側領域に少なくとも部分的に架かるスパン部材を備え、該スパン部材は、内向き近位縁を備え、内向き近位縁は、該第２の寸法における遠位縁の最大幅地点よりも該第１の寸法における該デバイスの遠位縁に近い少なくとも１つの領域を備える、内側領域と、
該第１の寸法における本体の高さを該第１の寸法における該内側領域の高さまで徐々に低減するように構成される少なくとも１つの遷移領域であって、該遷移領域は、定数および該遷移領域の周囲からの距離の１次関数から成る群より選択される傾斜を備える、少なくとも１つの遷移領域と
を備える、インプラント。
（項目２）
前記内向き近位縁は、前記第２の寸法における前記整形外科用インプラントの幅の５乃至２５％の間の半径の円弧を備える、項目１に記載の整形外科用インプラント。
（項目３）
前記内側領域は、中心開口部をさらに備え、該中心開口部は、前記スパン部材の内向き遠位縁を備え、内向き遠位縁は、前記第２の寸法における前記遠位縁の前記最大幅地点よりも前記第１の寸法における前記デバイスの遠位縁からより遠い少なくとも１つの領域を備える、項目１に記載の整形外科用インプラント。
（項目４）
前記中心開口部は、前記第２の寸法における前記整形外科用インプラントの幅の３０乃至５０％の間の該第２の寸法における直径を備える、項目３に記載の整形外科用インプラント。
（項目５）
前記第１の寸法における前記内側領域の高さは、該第１の寸法における前記整形外科用インプラントの高さの１５乃至３５％の間である、項目１に記載の整形外科用インプラント。
（項目６）
前記遷移領域は、前記本体の重複を容易にするように構成される、近位遷移領域をさらに備える、項目１に記載の整形外科用インプラント。
（項目７）
前記近位領域遷移領域は、鋭角をさらに備える、項目６に記載の整形外科用インプラント。
（項目８）
前記内側領域は、遠位外向き縁をさらに備え、前記遷移領域は、前記第１の寸法における前記本体の遠位高さを該第１の寸法における該内側領域の高さまで徐々に低減するように構成される遠位遷移領域をさらに備える、項目１に記載の整形外科用インプラント。
（項目９）
前記遠位縁は、切開を通す前記整形外科用インプラントの挿入を容易にするように構成される先頭面をさらに備え、該先頭面は、
前記本体の半径とは異なる半径を有する円弧、および該本体に対して偏心している円弧のうちの少なくとも１つと、
該遠位縁を該本体に接合するテーパ状領域と
を備える、項目１に記載の整形外科用インプラント。
（項目１０）
前記テーパ状領域は、前記遠位縁からの距離の１次関数である傾斜を有する表面を備える、項目９に記載の整形外科用インプラント。
（項目１１）
前記遠位縁の高さが前記本体の高さに直線的に増大する、遠位縁遷移領域をさらに備える、項目１に記載の整形外科用インプラント。
（項目１２）
前記本体は、変形に抵抗するように構成される少なくとも１つの弾力性コアをさらに備える、項目１に記載の整形外科用インプラント。
（項目１３）
前記本体は、２つの弾力性コアをさらに備える、項目１２に記載の整形外科用インプラント。
（項目１４）
前記少なくとも１つの弾力性コアは、少なくとも１つの連結部材を備え、該少なくとも１つの連結部材は、前記整形外科用インプラントに対する該少なくとも１つの弾力性コアの移動に抵抗するように構成される、項目１２に記載の整形外科用インプラント。
（項目１５）
前記本体は、少なくとも１つの放射線不透過性コアをさらに備える、項目１に記載の整形外科用インプラント。
（項目１６）
前記本体は、送達部材に解放可能に連結するために構成される少なくとも１つの穴をさらに備える、項目１に記載の整形外科用インプラント。
（項目１７）
前記少なくとも１つの穴は、前記送達部材の滑りを低減するように構成される少なくとも１つの角度を備える、項目１５に記載の整形外科用インプラント。
（項目１８）
前記少なくとも１つの穴は、送達中の前記インプラントの破損に抵抗するように構成されるグロメットをさらに備え、該グロメットは、前記整形外科用インプラントの引張強度よりも大きい引張強度を有する、項目１５に記載の整形外科用インプラント。
（項目１９）
摩耗保護機構は、前記整形外科用インプラントに対する該摩耗保護機構の移動に抵抗するように構成される連結部材をさらに備える、項目１８に記載の整形外科用インプラント。
（項目２０）
前記連結部材は、少なくとも１つの突出部を備える、項目１９に記載の整形外科用インプラント。
（項目２１）
前記少なくとも１つの突出部は、連続周囲を備える、項目２０に記載の整形外科用インプラント。
（項目２２）
前記少なくとも１つの突出部は、一連のフランジを備える、項目２０に記載の整形外科用インプラント。
（項目２３）
前記本体は、変形に抵抗するように構成される少なくとも１つの弾力性コアをさらに備え、前記少なくとも１つの穴は、製造工程中に少なくとも１つのコアの付着点に対応する、項目１８に記載の整形外科用インプラント。
（項目２４）
前記第１の寸法における前記内側領域の高さは、前記第２の寸法における前記整形外科用インプラントの幅の２乃至１２％の間である、項目１に記載の整形外科用インプラント。
（項目２５）
前記本体は、２つの脚先端を備える、項目１に記載の整形外科用インプラント。
（項目２６）
前記脚先端は、前記第２の寸法における前記整形外科用インプラントの幅の１０乃至３０％の間の該第２の寸法における幅で分離される、項目２５に記載の整形外科用インプラント。
（項目２７）
前記周囲は、弓状形状を備える、項目１に記載の整形外科用インプラント。
（項目２８）
前記第２の寸法における前記整形外科用インプラントの幅は、患者の手根中手関節の中で嵌合するようにサイズ決定される、項目１に記載の整形外科用インプラント。
（項目２９）
前記第１の寸法における前記整形外科用インプラントの高さは、前記第２の寸法における該整形外科用インプラントの幅の１５乃至３５％の間である、項目２７に記載の整形外科用インプラント。
（項目３０）
前記内側領域は、前記第２の寸法における前記整形外科用インプラントの３０乃至５０％の間の該第２の寸法における直径を有する中心開口部をさらに備える、項目２７に記載の整形外科用インプラント。
（項目３１）
前記第１の寸法における前記内側領域の高さは、前記第２の寸法における前記整形外科用インプラントの幅の２乃至１２％の間である、項目２７に記載の整形外科用インプラント。
（項目３２）
前記本体は、前記第２の寸法における前記整形外科用インプラントの幅の１０乃至３０％の間の該第２の寸法における幅で分離される２つの脚先端をさらに備える、項目２７に記載の整形外科用インプラント。
（項目３３）
手根中手インプラントと、
該インプラントに解放可能に連結し、および該インプラントに連結されたときに該インプラントとの相対運動に実質的に抵抗するように構成される送達部材と
を備える、手根中手整形外科用システム。
（項目３４）
前記インプラントは、該インプラントの周囲に沿って少なくとも１つの陥凹を備え、前記送達部材は、ループをさらに備える、項目３３に記載のシステム。
（項目３５）
前記インプラントは、略円板形状であり、および少なくとも１つの周囲をさらに備え、
該少なくとも１つの周囲は、第１の受容溝と、第２の受容溝とを備え、
前記送達部材は、該第１の受容溝に解放可能に連結するように構成される第１の対向部材と、該第２の受容溝に解放可能に連結するように構成される第２の対向部材とをさらに備える、項目３３に記載のシステム。
（項目３６）
前記インプラントは、略線状のチャネルを備え、前記送達部材は、少なくとも１つの剛性の細長部材を備える、項目３３に記載のシステム。
（項目３７）
整形外科用関節デバイスであって、
自身の周囲に沿って少なくとも１つの陥凹を備えるインプラントと、
連結部分を備える送達部材であって、該連結部分は、ループを備え、および該少なくとも１つの陥凹に解放可能に連結して該インプラントと送達デバイスとの間の相対運動に実質的に抵抗するように構成される、送達部材と
を備える、デバイス。
（項目３８）
前記少なくとも１つの陥凹は、連続陥凹である、項目３７に記載のデバイス。
（項目３９）
前記連続陥凹は、前記インプラントの前記周囲の少なくとも５０％に沿って位置する、項目３８に記載のデバイス。
（項目４０）
前記連続陥凹は、前記インプラントの前記周囲の少なくとも７５％に沿って位置する、項目３８に記載のデバイス。
（項目４１）
前記連続陥凹は、前記インプラントの前記周囲の少なくとも９０％に沿って位置する、項目３８に記載のデバイス。
（項目４２）
前記送達部材の前記連結部分は、陥凹連結部分をさらに備え、該陥凹連結部分は、前記インプラントの非陥凹部分を解放可能に係合するように構成される、項目４１に記載のデバイス。
（項目４３）
前記ループは、可撓性ループである、項目３７に記載のデバイス。
（項目４４）
前記送達部材は、固定部材をさらに備え、該固定部材は、前記連結部分に連結される前記少なくとも１つの陥凹の割合を増大させるように構成される、項目３７に記載のデバイス。
（項目４５）
少なくとも１つの周囲を備える略円板形状のインプラントであって、該少なくとも１つの周囲は、第１の受容溝と、第２の受容溝とを備える、インプラントと、
該第１の受容溝に解放可能に連結するように構成される第１の対向部材と、該第２の受容溝に解放可能に連結するように構成される第２の対向部材とを備える送達部材であって、該第１の対向部材および該第２の対向部材は、該第１の対向部材が該第１の受容溝に連結され、および該第２の対向部材が該第２の受容溝に連結されると、該インプラントと該送達部材との間の相対運動に実質的に抵抗するように構成される、送達部材と
を備える、整形外科用関節デバイス。
（項目４６）
前記インプラントは、少なくとも１つの回転軸を備える少なくとも１つの関節運動部をさらに備え、該インプラントは該軸の周りを関節運動する、項目４５に記載のデバイス。
（項目４７）
前記インプラントは、少なくとも１つの屈折領域をさらに備え、該インプラントは該屈曲領域の周りを関節運動する、項目４５に記載のデバイス。
（項目４８）
前記インプラントは、内側膜をさらに備え、該内側膜は、使用中に前記デバイスが外に広がることに抵抗するように構成される、項目４６に記載のデバイス。
（項目４９）
前記第１および第２の溝のうちの少なくとも１つは、側壁を備え、該側壁は、前記対向部材と前記インプラントとの間の相対運動に抵抗するように構成される、項目４５に記載のデバイス。
（項目５０）
前記インプラントは、弾力性の非線状内側コアをさらに備える、項目４５に記載のデバイス。
（項目５１）
前記インプラントは、放射線不透過性コアをさらに備える、項目４５に記載のデバイス。
（項目５２）
前記インプラントの中心、前記第１の受容溝、および前記第２の受容溝は、共線である、項目４５に記載のデバイス。
（項目５３）
少なくとも１つの略線状のチャネルを備えるインプラントと、
少なくとも１つの剛性の細長部材を備える送達部材であって、該細長部材は、該少なくとも１つのチャネルの中に挿入して、該インプラントと送達部材との間の相対運動に実質的に抵抗するように構成される、送達部材と
を備える、整形外科用インプラントシステム。
（項目５４）
前記少なくとも１つのチャネルは、長手軸と、該長手軸に垂直な非円形の断面形状とを備える、項目５３に記載のシステム。
（項目５５）
少なくとも２つのチャネルをさらに備える、項目５３に記載のシステム。
（項目５６）
前記少なくとも２つのチャネルは、平行でない、項目５５に記載のシステム。
（項目５７）
前記インプラントは、前記少なくとも１つの剛性の細長部材の挿入後に、前記少なくとも２つのチャネルを再配置することによって変形するように構成される、項目５６に記載のシステム。
（項目５８）
前記インプラントは、弾力性の非線状内側コアをさらに備える、項目５３に記載のシステム。
（項目５９）
前記インプラントは、チャネル入口を備え、前記弾力性の非線状内側コアは、２つの端を備え、該チャネル入口は、該２つの端の間に設置される、項目５８に記載のシステム。
（項目６０）
前記インプラントは、放射線不透過性の非線状内側コアをさらに備える、項目５３に記載のシステム。
（項目６１）
間隙によって分離された２つの端を有する弾力性非線状の細長本体を備える整形外科用デバイスと、該細長本体によって包囲される内側領域と、該弾力性非線状の細長本体の少なくとも一部分を覆う可撓性ポリマージャケットと、該非線状細長本体の該内側領域に部分的に架かる第１のシート部材とを備える、整形外科用システム。
（項目６２）
前記第１のシート部材は、連続層を備える、項目６１に記載の整形外科用システム。
（項目６３）
前記第１のシート部材は、半透性である、項目６１に記載の整形外科用システム。
（項目６４）
前記第１のシート部材は、閉じた周囲開口部を備える、項目６１に記載の整形外科用システム。
（項目６５）
前記閉じた周囲開口部は、狭い端と、広い端とを有する、項目６４に記載の整形外科用システム。
（項目６６）
前記閉じた周囲開口部は、涙滴構成を備える、項目６５に記載の整形外科用システム。
（項目６７）
前記閉じた周囲開口部は、前記デバイスの正中線の周りに対称に位置する、項目６５に記載の整形外科用システム。
（項目６８）
前記第１のシート部材の自由縁は、前記デバイスの前記内側領域の幾何学的中心と交差する、項目６１に記載の整形外科用システム。
（項目６９）
第２のシート部材をさらに備え、該第２のシート部材は、前記非線状の細長本体の前記内側領域に少なくとも部分的に架かる、項目６１に記載の整形外科用システム。
（項目７０）
前記第２のシート部材の自由縁は、前記内側領域の中心と交差する、項目６９に記載の整形外科用システム。
（項目７１）
前記第１のシート部材と前記第２のシート部材とは、閉じた空洞を形成する、項目６９に記載の整形外科用システム。
（項目７２）
前記第２のシート部材は、半透性である、項目６９に記載の整形外科用システム。
（項目７３）
治療薬をさらに備え、該治療薬は、前記閉じた空洞の中に配置するために構成される、項目６９に記載の整形外科用システム。
（項目７４）
前記治療薬は、疾患修飾性抗リウマチ薬または関節内補充薬である、項目７３に記載の整形外科用システム。
（項目７５）
前記薬剤は、シクロホスファミド、プレドニゾン、メトトレキサート、アザチオプリン、金、Ｄ−ペニシラミン、ヒドロキシクロロキン、および非ステロイド性の抗炎症薬から成る群より選択される、項目７４に記載の整形外科用システム。
（項目７６）
弁をさらに備え、該弁は、前記閉じた空洞の選択的充填を可能にするように構成される、項目７１に記載の整形外科用システム。
（項目７７）
前記整形外科用デバイスは、前記弾力性非線状の細長本体の先頭面上に位置する楔部材を備える、項目６１に記載の整形外科用システム。
（項目７８）
前記整形外科用デバイスは、少なくとも１つのタブ部材をさらに備え、該少なくとも１つのタブ部材は、前記弾力性非線状の細長本体の端の周囲に位置する、項目６１に記載の整形外科用システム。
（項目７９）
前記第１のシート部材は、前記２つの端の領域の中に内向き縁を備える、項目６１に記載の整形外科用システム。
（項目８０）
弾力性の細長本体と内側領域との間に位置する段階的遷移領域をさらに備え、該段階的遷移領域は、定数および該遷移領域の周囲からの距離の１次関数を含有する群から選択される傾斜を備える、項目６１に記載の整形外科用システム。
（項目８１）
前記整形外科用デバイスの切開を通す挿入を容易にするように構成される先頭面をさらに備え、該先頭面は、
前記細長本体の半径とは異なる半径を有する円弧、および該細長本体に対して偏心している円弧のうちの少なくとも１つと、
該先頭面を該細長本体に接合するテーパ状領域と
を備える、項目６１に記載の整形外科用システム。
（項目８２）
整形外科用デバイスを使用する方法であって、
弓状関節インプラントをその自由端に重複するように拘束することと、
その自由端が重複されている間に、該関節インプラントを関節腔の中に通すことと
を含む、方法。
（項目８３）
弓状関節インプラントのテーパ状構造を関節腔の中に押し込むことをさらに含む、項目８２に記載の整形外科用デバイスを使用する方法。
（項目８４）
前記弓状関節インプラントに取り付けられる２つの別個の膜構造を重複させることをさらに含む、項目８２に記載の整形外科用デバイスを使用する方法。
（項目８５）
前記弓状関節インプラントを横断して位置する２つの層構造の間に位置する空洞にアクセスすることと、
該空洞を材料で充填することと
をさらに含む、項目８２に記載の整形外科用デバイスを使用する方法。
（項目８６）
前記材料は、関節内補充薬または疾患修飾性抗リウマチ薬である、項目８５に記載の整形外科用デバイスを使用する方法。
（項目８７）
前記空洞を前記材料で充填することは、空洞壁の中に位置する弁を使用して該空洞を充填することを含む、項目８５に記載の整形外科用デバイスを使用する方法。
（項目８８）
略平面の構成と、該平面の構成に直交する第１の寸法を有する閉じた周囲とを備える整形外科用デバイスを備え、該デバイスは、第２の面内寸法に沿ってサイズが弾力的に減少するように構成され、該デバイスは、周辺組織への付着を伴わずに関節腔内に埋め込まれるように構成される、整形外科用システム。
（項目８９）
前記整形外科用デバイスは、前記第２の面内寸法に垂直である第３の面内寸法に沿ってサイズが増大するようにさらに構成される、項目８８に記載の整形外科用システム。
（項目９０）
少なくとも１つの回転軸を備える少なくとも１つの関節運動部をさらに備え、前記インプラントが該回転軸の周りを関節運動し、該少なくとも１つの回転軸は、前記平面の構成に直交する、項目８９に記載の整形外科用システム。
（項目９１）
弾力性の内側コアをさらに備え、前記少なくとも１つの関節運動部は、該弾力性の内側コアの第１の区間を備え、該第１の区間は、少なくとも１つのベアリングによって該弾力性の内側コアの第２の区間に連結される、項目９０に記載の整形外科用システム。
（項目９２）
前記ベアリングは、前記弾力性の内側コアの前記第１の区間と一体的に形成される、項目９１に記載の整形外科用システム。
（項目９３）
放射線不透過性の内側コアをさらに備える、項目９０に記載の整形外科用システム。
（項目９４）
弾力性の内側コアをさらに備え、前記少なくとも１つの関節運動部は、該弾力性の内側コアの縮小された外形区間を備える、項目９０に記載の整形外科用システム。
（項目９５）
前記整形外科用デバイスは、前記第２の面内寸法のサイズが最大限に減少したときに、前記第１の寸法に沿ってサイズが３倍を超えない範囲で増大するようにさらに構成される、項目８９に記載の整形外科用システム。
（項目９６）
前記整形外科用デバイスは、略円形の構成を備える、項目８８に記載の整形外科用システム。
（項目９７）
前記整形外科用デバイスは、円盤構成を備える、項目９６に記載の整形外科用システム。
（項目９８）
前記整形外科用デバイスは、リング構成を備える、項目９６に記載の整形外科用システム。
（項目９９）
前記リング構成は、中心開口部を備える、項目９８に記載の整形外科用システム。
（項目１００）
前記リング構成は、内側膜を備える、項目９８に記載の整形外科用システム。
（項目１０１）
前記内側膜は、両凹である、項目１００に記載の整形外科用システム。
（項目１０２）
前記内側膜は、前記閉じた周囲の頂面の上側に突出する、項目１００に記載の整形外科用システム。
（項目１０３）
前記内側膜は、少なくとも１つの山と少なくとも１つの谷とを備える、項目１００に記載の整形外科用システム。
（項目１０４）
前記少なくとも１つの山と前記少なくとも１つの谷とは、直線的に配設される、項目１０３に記載の整形外科用システム。
（項目１０５）
前記少なくとも１つの山と前記少なくとも１つの谷とは、放射状に配設される、項目１０３に記載の整形外科用システム。
（項目１０６）
前記内側膜は、少なくとも１つの開口部を備える、項目１００に記載の整形外科用システム。
（項目１０７）
前記少なくとも１つの開口部は、前記デバイスの前記第２の面内寸法に沿ったより小さい寸法と、該第２の面内寸法に垂直である第３の面内寸法に沿ったより大きい寸法とを有する、項目１０６に記載の整形外科用システム。
（項目１０８）
双曲放物面鞍形状を備える整形外科用デバイスを備え、該双曲放物面鞍形状は、該関節腔の関節包内に埋め込まれるように構成される、整形外科用システム。
（項目１０９）
湾曲した平面形状を備える整形外科用デバイスを備え、該湾曲した平面形状は、周辺組織への付着を伴わずに関節腔の関節包内に埋め込まれるように構成される、整形外科用システム。
（項目１１０）
第１の寸法、第２の寸法、および第３の寸法を有する整形外科用インプラントであって、該第１の寸法は、該第２および第３の寸法よりも小さく、該第２および第３の寸法のうちの少なくとも１つは、該整形外科用インプラントの最大寸法であり、該インプラントは、基礎構成、および該基礎構成と比較して該第２の寸法に沿って減少したサイズを有する弾力的に歪んだ構成によって構成され、該整形外科用インプラントの第１の領域と第２の領域とは、該基礎構成におけるよりも互いに接近している、整形外科用インプラント。
（項目１１１）
前記弾力的に歪んだ構成は、前記基礎構成と比較して前記第３の寸法に沿って増大したサイズを有する、項目１１０に記載の整形外科用インプラント。
（項目１１２）
整形外科用インプラントは、前記基礎構成から前記歪んだ構成まで遷移したときに、前記第１の寸法のサイズが３倍を超えない範囲で増大するように構成される、項目１１０に記載の整形外科用インプラント。
（項目１１３）
前記整形外科用インプラントは、可動関節の関節包内への埋め込みのために構成される、項目１１０に記載の整形外科用インプラント。
（項目１１４）
前記整形外科用インプラントは、周辺組織への付着を伴わない前記関節の中への埋め込みのために構成される、項目１１３に記載の整形外科用インプラント。
（項目１１５）
前記整形外科用インプラントは、周囲厚さと、該周囲厚さより小さい中心厚さとを備える、項目１１０に記載の整形外科用インプラント。
（項目１１６）
前記中心厚さは、ゼロよりも大きい、項目１１５に記載の整形外科用インプラント。
（項目１１７）
前記インプラントは、円形の構成を備える、項目１１０に記載の整形外科用インプラント。
（項目１１８）
前記インプラントは、リング構成を備える、項目１１７に記載の整形外科用インプラント。
（項目１１９）
前記インプラントは、両凹円盤構成を備える、項目１１７に記載の整形外科用インプラント。
（項目１２０）
前記インプラントは、凸面／凹面状円盤構成を備える、項目１１７に記載の整形外科用インプラント。
（項目１２１）
前記整形外科用インプラントは、手根中手関節の中への埋め込みのために構成される、項目１１３に記載の整形外科用インプラント。
（項目１２２）
整形外科用インプラントは、親指の手根中手関節の中への埋め込みのために構成される、項目１１３に記載の整形外科用インプラント。
（項目１２３）
整形外科用インプラントを変形させることであって、インプラントの第１の領域と第２の領域とを面内において互いに向かって変位させることと、インプラントの第３の領域と第４の領域とを該面内において互いから離れるように変位させることとによって変形させることを含む、整形外科用インプラントを埋め込む方法。
（項目１２４）
前記整形外科用インプラントを変形させることは、該インプラントの任意の他の領域の面外の変位を伴わずに行われる、項目１２３に記載の方法。
（項目１２５）
前記変形させたインプラントを可動関節の中に挿入することをさらに含む、項目１２３に記載の方法。
（項目１２６）
前記変形させたインプラントを手根中手関節の中に挿入することをさらに含む、項目１２３に記載の方法。
（項目１２７）
前記変形させたインプラントを手の第１の手根中手関節の中に挿入することをさらに含む、項目１２３に記載の方法。
（項目１２８）
前記変形させたインプラントを死体の手の第１の手根中手関節の中に挿入することをさらに含む、項目１２３に記載の方法。
種々の関節症状を治療するための方法および装置は、関節腔の中に挿入されるデバイスを含む。送達中に、デバイスの外形は、組織および／または骨に対する侵襲的衝撃を最小化するために、少なくとも１つの寸法において拘束される。デバイスは、ネジ付きまたは剛性の細長部材によって、埋め込みのために拘束されてもよい。挿入後、デバイスは、埋め込み部位で拡張してもよい。